Podtech/llm-jp-corpus-v4-ja_patent huggingface dataset:
(57)【要約】      （修正有）【課題】使用したい所に取りつけることができ、箱や袋から１枚１枚を取り出したり入れたりすることが簡単にできるペーパー掛けを提供する。【解決手段】使用したい所に、どこにでも取りつけができよう、紐１に結び２を設け、この結び２の位置で紐掛け１１に掛けるようにする。さらに紐１を長くできるよう、その下側にもう一つの結び２設ける。例えばペーパーの入れ替えは、円筒３に紐１を通し、左右にクリップ９、１０を結び２で吊り下げて横棒８をはさみ、横棒８をペーパーの芯に差し込むことで行われる。【選択図】図１
2016209511.tif 000002
【特許請求の範囲】
【請求項１】
使用したい所に、どこにでも取りつけができ。紐（１）の結び（２）の位置で掛け（１１）ることを設け、紐（１）を長くして結び（２）つけたりすることを設けた。
ペーパー（１２）（１４）の入れ替えは、円筒（３）に紐（１）を通し左右にクリップ（９）（１０）を結び（２）下げて横棒（８）をはさみペーパーを差し込むことを設けた。ことを特徴とするペーパー掛け。
【発明の詳細な説明】
【技術分野】
【０００１】本発明は、台所やトイレなどで使用するペーパー掛けに関するものである。
【背景技術】
【０００２】従来、箱や袋に入っているペーパー取りだしていた。
また、ホルダーや吸盤の取りつけはありましたが場所が限られていた。
【先行技術文献】
【特許文献】
【０００３】
【特許文献１】特開２００１−１６５１２５号公報
【特許文献２】特開平１０−１０８７７８号公報
【特許文献３】特開平８−１４０８１５号公報
【発明の概要】
【発明が解決しようとする課題】
【０００４】  そのため、次のような問題点があった。
（イ）使用したい所に取りつけられない。
（ロ）箱や袋から１枚１枚を取り出すのはむつかしい、簡単に取り出したり入れたりすることは不可能だった。
本発明は、これらの問題点を解決するためになされたものである。
【課題を解決するための手段】
【０００５】（イ）使用したい所に、どこにでも取りつけができ。紐（１）の結び（２）の位置で掛け（１１）ることを設け、紐（１）を長くして結び（２）つけたりすることを設けた。
（ロ）ペーパー（１２）（１４）の入れ替えは、円筒（３）に紐（１）を通し左右にクリップ（９）（１０）を結び（２）下げて横棒（８）をはさみペーパーを差し込むことを設けた。
ことを特徴とするペーパー掛け。
【発明の効果】
【０００６】（イ）従来、不可能とされていた、ペーパーの取り出しを本発明により可能にし、簡単にペーパーが取り出すことができる。
（ロ）必要な時にどこにでも持っていけることを設けた。
（１）台所に掛ければ、食器の水分ふき、汚れ落し、身近にあると便利。
（２）カバー付きなのでホコリもつかないおしゃれで、洗濯も出来て清潔
（３）キャンプ場のトイレの設備のない所。
（４）病院のポータブルトイレを使用される時には、近くのベッドに結び、手軽で便利に重宝することを設けた。
【図面の簡単な説明】
【０００７】
【図１】本発明の斜視図
【図２】本発明の使用状態を示した説明図
【図３】本発明の使用状態を示した説明図
【発明を実施するための形態】
【０００８】  以下、本発明の実施の形態を説明する。
（イ）一本の紐（１）を半分に、中心点を決めて紐（１）を下げて最初の結び（２）紐掛け（１１）を設ける。
（ロ）掛け紐（１１）の長さをくくりつけられるよう、２ヶ所に結ぶ（２）ことを設ける。
（ハ）結び（２）目から左右に分けて同時進行で平行になることを設ける。
（ニ）円筒（３）の通し穴（４）に紐（１）を入れ右側の円筒（３）の外に出し中心部まで持ってくる。もう一方の紐（１）も同じく紐通し穴（５）にさし込み円筒（３）の中で２本の紐（１）を交互させ円筒（３）の外に出し中心部で結び（２）元の通し穴（４）（５）の位置までもどり通し穴に通した紐（１）とまとめて結び（２）カバー掛け（１３）を設ける。
（ホ）紐（１）を内側から下穴（６）（７）に通し円筒（３）の外に出し、そのまま両側から中心部まで持ってきて結び（２）元に（６）（７）もどり紐（１）を円筒（３）の内側に入れ交互させ円筒（３）の外に出し両側の通し穴（６）（７）に通した紐（１）にまとめてかたく結び（２）円筒（３）を固定することを設ける。
（ヘ）トイレットペーパー（１４）に替える時も同じように左右のクリップ（９）（１０）で横棒をはさみトイレットペーパー（１４）２個を差し込むことを設けた。
１  本発明は、以上のような構造である。
２  本発明のペーパー掛けは必要に応じて何通りにも自由自在に使い方を替えることができる。
３  カバー（１３）（１５）をつけ替えて洗濯もできる、清潔におしゃれで便利なペーパー掛けである。
【符号の説明】
【０００９】１  紐                  ６  紐通し穴（左下）  １１  紐掛け
２  結び                ７  紐通し穴（右下）  １２  キッチンペーパー
３  円筒                ８  横棒              １３  布カバー
４  紐通し穴（左上）    ９  クリップ（右）    １４  トイレットペーパー
５  紐通し穴（右上）  １０  クリップ（左）    １５  タオル地カバー
１６  手ふき
【図１】
2016209511.tif 000003
【図２】
2016209511.tif 000004
【図３】
2016209511.tif 000005